(57)【要約】【課題】  複数種類の肥料をホッパ内で短時間に混合可能で、筋状または条状散布が可能な肥料散布機を提供する。【解決手段】  Ｕ字状の樋に撹拌羽根を有した回転軸を内設して原料を一方向へ撹拌しながら移送する撹拌部を構成する。この撹拌部の移送方向が互いに逆方向になるように一組を隣接して設け、これらの移送方向の末端に隣接する樋に掻き上げ材を設けて原料が連続循環するように肥料ホッパを構成し、ホッパ底面に設けた複数の肥料散布排出口にはそれぞれ単独で開閉自在にシャッタ板を設け、希望位置のシャッタ板のみ開閉できる肥料散布機を構成したものである。【選択図】      図１
2005210928.tif 000002
【特許請求の範囲】
【請求項１】
Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて肥料が連続循環するように構成するとともに、移送方向の末端側底面に排出口を複数個設け、排出口には、肥料の落下量を調節するシャッタ板が排出口ごとに単独に開閉自在に設けられ、前記シャッタ板は、希望位置のシャッタ板のみの開閉を選択できるシャッタ開閉手段と連動して作動することを特徴とした肥料散布機。
【請求項２】
排出口は樋長さ方向に対してそれぞれの移送方向の末端側に樋長さの２分１の長さに亘って複数個設けた請求項１記載の肥料散布機。
【発明の詳細な説明】
【技術分野】
【０００１】
本発明は、肥料散布機に関するもので、複数種類の肥料をホッパ内で混合し、筋状または条状に散布できる構成に関わるものである。
【背景技術】
【０００２】
背景技術として、ホッパ内に複数種類の肥料を投入し、これらの肥料をホッパ内で混合して所定の圃場に肥料を散布する肥料散布機は、略円柱状のホッパの軸心部に複数のアームを取り付けてすくい角のある撹拌翼を設けて、この撹拌翼が回転することによって複数の肥料を混合し、混合した後に一個の繰り出し口から排出し回転散布板によって広巾散布しようとするものが公知である。（特許文献１）
【特許文献１】実公平４−５３２３１号公報
【発明の開示】
【発明が解決しようとする課題】
【０００３】
公知の技術によれば混合の際、すくい角のある撹拌翼によって肥料を持ち上げながら混合するもので、ホッパ底面と上層部との混合に時間を要すること。又、混合の後一個の繰り出し口から排出し、回転散布板で広巾に拡散散布するように構成されているため、作物の植付畝部のみに散布したい時等でも全面散布となり、不必要な部分にも散布する無駄が生ずる場合がある。このため、短時間に肥料を混合し筋状または条状散布ができる肥料散布機を提供する。
【課題を解決するための手段】
【０００４】
上記課題を解決するために、Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて肥料が連続循環するように構成するとともに、移送方向の末端側底面に排出口を複数個設け、排出口には、肥料の落下量を調節するシャッタ板が排出口ごとに単独に開閉自在に設けられ、前記シャッタ板は、希望位置のシャッタ板のみの開閉を選択できるシャッタ開閉手段と連動して作動することを特徴とした肥料散布機を提供したものである。又、上記肥料散布機において、排出口は樋長さ方向に対してそれぞれの移送方向の末端側に樋長さの２分１の長さに亘って複数個設けたことを特徴としたものである。
【発明の効果】
【０００５】
上記のようにＵ字状の樋に一方向へ撹拌しながら移送する撹拌部を構成し、相互に逆方向に組み合せてそれぞれ移送方向の末端に、隣接する樋に肥料が移動可能な掻き上げ材を設け連続循環して撹拌するので、肥料の滑らかな流れが形成され高速撹拌を可能にし、又、散布にあたって撹拌部のＵ字状樋の底面から直接排出散布するので、混合肥料の圧縮作用やブリッジが少なく円滑な混合と散布作業ができるようになった。さらに、排出口は樋の移送方向の末端側に２分１の長さに亘っているので、肥料残が最小になるまで排出可能であるから肥料の無駄がない。
【０００６】
また、排出口の肥料落下量を調節するシャッタ板が排出口ごとに単独に開閉自在に設けられて、希望位置のシャッタ板のみ開閉が可能なため、作物の植付畝部のみに散布する等の筋状または条状の散布ができ、必要な部分のみに肥料を散布できるため、肥料の無駄な散布が行われない。
【発明を実施するための最良の形態】
【０００７】
以下、本発明の実施形態を図面に基づいて説明する。図１は本発明を実施した側面図、図２はその平面図、図３は一部を省略した左側面図、図４はシャッタ部を底面より見たシャッタを閉じた作動説明図、図５はシャッタ部を底面より見たシャッタを開いた作動説明図である。
【０００８】
図１と図２において１はパイプフレームを示し、このパイプフレーム１には４のトップブラケット、及び一対のロアピン５が取り付けられ、これにより図示していないがトラクタの三点リンクに装着することができる。又、自走式の運搬台車に装着しても良い。
【０００９】
１８はホッパで複数の肥料を投入するものである。ホッパ１８はＵ字状の樋１７に撹拌羽根１４を有した第1回転軸９を内設し、一方向へ回転移送するものであり、移送末端側に掻き上げ材１０を設けて、第１撹拌部を構成する。本実施例において、撹拌羽根はリボン状螺旋に形成されている。
【００１０】
１２は撹拌羽根１４１を有した第２回転軸１３からなる第２撹拌部を示し、前記した第１撹拌部１１の移送方向とは逆に向けて回転させ、末端に掻き上げ材１０１を設けて構成する。
【００１１】
１５は排出口を示し、第１撹拌部１１の樋１７の底面で、回転移送の末端側に複数個配列し、樋巾の略２分１の長さに亘っている。１５１は第２撹拌部１２の樋１７１の底面の移送末端側に設けた排出口である。
【００１２】
２は変速箱で前方に入力軸３を有し、上下のパイプフレーム１に支持されている。変速箱２には、ベベルギヤ２ａが一対設けられ、入力軸３と直角方向に出力軸２ｂが延出され他方端には駆動スプロケット６が設けられている。駆動スプロケット６から中間スプロケット６ａを経由し、第１スプロケット７及び第２スプロケット８を駆動し、第１回転軸９と第２回転軸１３を回転させ、図１に示すａ，ｂの矢印の回転方向に相互に隣接する内方に掬い上げるように回転する。６ｂはテンションスプロケットでローラーチェーン６ｃの張り調節を行う。
【００１３】
２３はシャッタ開閉レバーを示し、肥料の落下量を調節するシャッタ板を開閉するためのもので、レバーガイド３２に表示された希望する散布料目盛２３ａに合せて、シャッタ開閉レバー２３を引くと、排出口１５，１５１のシャッタ板が希望量開く。
【００１４】
図３において、１４，１４１の撹拌羽根は互いに内方の矢印の方向へ回転し、１４，１４１の撹拌羽根はリボン状螺旋に形成され、肥料は互いに逆方向に移送されるように形成されている。
【００１５】
また、移送方向の末端には、隣接する樋に肥料が掻き送られるように掻き上げ材１０，１０１を設けて、肥料が連続循環するように構成されている。
【００１６】
ホッパ１８の底面に設けた肥料の排出口は１５，１５１には、それぞれ単独で開閉可能なシャッタ板１９が設けられている。
【００１７】
シャッタ開閉レバー２３を操作すると、第１シャッタ開閉ロット３０，リンクアーム３０ａ，第２シャッタ開閉ロット２４を介し支軸２６を支点にし揺動板２７を回動させ、揺動板とスライドプレート３４の連結ピン３４ｂが枢着し連動するスライドプレート３４がスライドし、シャッタ板１９を開閉する。
【００１８】
スタンド２０は、ホッパ１８に肥料を投入する時にホッパ底面部を地面の接触等から保護し、必要によりキャスター車輪２１を付けると、格納や移動時に便利である。
【００１９】
図４と図５は、本発明を実施した肥料散布機のシャッタ作動説明図で、肥料散布機の下方より見た状態を示したもので、図４はシャッタ開閉レバー２３を閉じた状態を示し、図５はシャッタ開閉レバー２３を開いた状態を示したものである。
【００２０】
スライドプレート３４は、保持金具３５により肥料ホッパ１８の底面に摺動自在に取り付けられていて、シャッタ開閉レバー２３を操作することで、肥料ホッパ１８の長手方向に摺動される。
【００２１】
スライドプレート３４には、シャッタ開閉解除ロット３３が支持されていて、シャッタ板１９側にはスプリング３６によって圧着されていて、シャッタ開閉解除ロット３３のシャッタ板１９側には、シャッタ板１９に取り付けられたシャッタ回動ピン１９ｂと係合するＵ字状係合片３３ａが設けられ、他方端にはハンドル３３ｂがあり、ハンドル３３ｂを引いてロットスライド固定ピン３３ｃをガイドプレート３４ａに係止すると、Ｕ字状係合片３３ａはシャッタ回動ピン１９ｂと係合が外れる。
【００２２】
シャッタ板１９は、シャッタ回動支点１９ａを中心に回動するように取り付けられ、回動させることで排出口１５，１５１が開閉される。従って、シャッタ開閉レバー２３を操作すると、スライドプレート３４が摺動されて、Ｕ字状係合片３３ａが係合しているシャッタ板１９の開閉動作が行われる。
【００２３】
図５の例では、ｃ，ｄ，ｅ，ｈ，ｉ，ｊのシャッタ開閉解除ロット３３が引かれて、シャッタ板１９との連結が解除さているため、シャッタ開閉レバー２３を操作すると、ａ，ｂ，ｆ，ｋ，ｋ，ｌのシャッタが開閉されてホッパ内の肥料は、筋状または条状に散布される。
【図面の簡単な説明】
【００２４】
【図１】本発明を実施した側面図
【図２】平面図
【図３】一部を省略した左側面図
【図４】シャッタ部を底面より見たシャッタを閉じた作動説明図
【図５】シャッタ部を底面より見たシャッタを開いた作動説明図
【符号の説明】
【００２５】
１      パイプフレーム
２      変速箱
２ａ    ベベルギヤ
２ｂ    出力軸
３      入力軸
４      トップブラケット
５      ロアピン
６      駆動スプロケット
６ａ    中間スプロケット
６ｂ    テンションスプロケット
６ｃ    ローラーチェーン
７      第１スプロケット
８      第２スプロケット
９      第１回転軸
１０，１０１    掻き上げ材
１１    第１撹拌部
１２    第２撹拌部
１３    第２回転軸
１４，１４１    撹拌羽根
１５，１５１    排出口
１７，１７１    樋
１８    ホッパ
１９    シャッタ板
１９ａ  シャッタ回動支点
１９ｂ  シャッタ回動ピン
２０    スタンド
２１    キャスター車輪
２３    シャッタ開閉レバー
２３ａ  散布量目盛
２４    第２シャッタ開閉ロット
２６    支軸
２７    揺動板
３０    第１シャッタ開閉ロット
３０ａ  リンクアーム
３２    レバーガイド
３３    シャッタ開閉解除ロット
３３ａ  Ｕ字状係合片
３３ｂ  ハンドル
３３ｃ  ロットスライド固定ピン
３４    スライドプレート
３４ａ  ガイドプレート
３４ｂ  連結ピン
３５    保持金具
３６    スプリング
【図１】
2005210928.tif 000003
【図２】
2005210928.tif 000004
【図３】
2005210928.tif 000005
【図４】
2005210928.tif 000006
【図５】
2005210928.tif 000007